(57)【要約】【課題】  ロール状衛生用紙のごとき巻取りロール体を立てた状態に保持してミシン目から切り取りを阻害せず、切り取りの前後に亘って巻取りロール体の姿勢を保持することのできるホルダーを提供する。【解決手段】  基台１の上面に一方向に起伏自在で、かつ伸縮自在のポール４を取付ける一方、ポール取付け位置の近くに設けた球面軸受け１１によって基台上面の全方向に旋回可能な支え棒１０を配置する。ポール４の起立状態で巻取りロール体１５を支持すると共に、支え棒１０の先端を巻取りロール体１５の表面に接触させて切取端の剥離や垂れ下がりを防止する。ポール４の上端近くには吊り下げ用フックまたはSカン１８の挿通孔９を設ける。基台１の裏面に、磁石１４を固着させることで金属製厨房台や家具類への設置を容易にする。また、不使用時には、ポールと支え棒とを同方向に倒すことによりホルダー全体を薄形に折り畳んで収納しやすくする。【選択図】      図３
2005270254.tif 000002
【特許請求の範囲】
【請求項１】
基台上面の一方に起伏自在のポールを取付けると共に、基台上面の他方で前記ポール取付け位置より離れた位置に設けた支持部材によって基台上面の全方向に旋回可能な支え棒を取付けて構成され、
起立状態のポールに巻取りロール体の巻芯部を挿入して支持すると共に、前記支え棒の先端をロール体の表面に当接させるようにしたことを特徴とする巻取りロール体のホルダー。
【請求項２】
前記ホルダーは、ロール状衛生用紙、ロール状フィルム、ロール状アルミシートのいずれかの用途に用いられることを特徴とする請求項１に記載の巻取りロール体のホルダー。
【請求項３】
前記基台の裏面に磁石を固着させている請求項１に記載の巻取りロール体のホルダー。
【請求項４】
前記ポールは、下部ポールの上端に固定用の締めつけ部材を設けて下部ポールに対し上部ポ−ルを同軸上ではまり合うように伸縮自在に挿合している請求項１に記載の巻取りロール体のホルダー。
【請求項５】
前記上部ポールの上端近くに吊り下げ用のSカンまたはフックの挿通孔を設けている請求項１〜４の何れか１項に記載の巻取りロール体のホルダー。
【発明の詳細な説明】
【技術分野】
【０００１】
本発明は、キッチンペーパー、ペーパータオル、クッキングシートなどのロール状衛生用紙類又はラップフィルムなどのロール状フィルム、若しくはアルミホイルなどのロール状シート類の巻取りロールを立てた状態に保持するホルダーに関する。
【背景技術】
【０００２】
キッチンペーパーロール、タオルペーパーロール、クッキングシートなどのロール状衛生用紙やラップフィルムなどのロール状フィルム、アルミホイルなどの巻取りロール体は、冷蔵庫の扉や室内壁面などに固着させたホルダーに支持させ、巻取端から所定長さ引き出しミシン目の切取線から切り取って使用するが、使用後に放置すると巻きロール端部分が緩みやすい。このため、巻取りロール体の巻芯筒をシャフトに通し横置きに保持したうえ、巻取りロール体の上部に跨がる前後２枚の押え板を配設すると共に、押え板の左右両端辺と巻芯筒のシャフト間に穴あき扇状のリンクで連結して、常時押え板がロール体表面に接するようにしてロール体のよごれや、巻き戻りを防ぐようにしたものが知られている（例えば、特許文献１）。しかし、押え板の左右両端辺と巻芯筒のシャフト間に穴あき扇状のリンクで連結するなど構造複雑で不具合になりやすく、切り取り後のロール端部分の緩みをおさえることはできない。これとは別に、スタンドの上端近くに設けたアーム部材によってロール紙の上部を押さえ、ペダル操作に連動してアーム部材の押さえを解除して所定長さのロール紙を引き出しミシン目に沿って切り取るようにしたものが開示されている（例えば、特許文献２）。このものは、伸縮自在のスタンドの上端近くにアーム部材を設け、その先端近くにペーパーロール紙のコア（巻芯筒）を支持すると共に、スタンドの上端近くに回動自在にカバー板を取付けてロール紙の上部を覆うようにし、さらにロープ又はワイヤの上端をカバー板の内側に固定すると共に、ワイヤの下端を足踏みペダルに連結し、ロール紙の切り取り時に、ペダルを踏みつけてカバー板でロール紙を締め付けるようにしたものが提案されている。
【０００３】
【特許文献１】実公昭５１−３７８２３号公報（公報第１頁右欄第１９行〜第２頁左欄第１行、図１、３）。
【特許文献２】特開２００３−９３２６８号公報（公報第２頁、第１〜１５行、図１）。
【発明の開示】
【発明が解決しようとする課題】
【０００４】
上記のように、スタンドの上端近くに設けたアーム部材によってロール紙の上部を押さえ、ペダル操作に連動してアーム部材の押さえを解除して所定長さのロール紙を引き出しミシン目に沿って切り取るようにしたものでは、切り取り後のロール端部分の緩みをおさえることはできるが、衛生用紙のロール径が小さくなったとき、ロープやワイヤ等の長さ調整が必要であり、また繰り出しが不十分で、ロール紙を正しくミシン目から切り取ることができにくいものとなっている。
また、背景技術で説明したいずれのホルダーもロール体の取付けや取替えが簡単でないという問題もある。
本発明は、ロール状衛生用紙のごとき巻取りロール体を立てた状態に保持してミシン目からの切り取りを阻害せず、切り取りの前後に亘って巻取りロール体の姿勢を保持することのできると共に、ロール体の取替えも容易にできるホルダーを提供することを目的とする。
【課題を解決するための手段】
【０００５】
上記目的を達成するため、本発明の請求項１は、基台上面の一方に起伏自在のポールを取付けると共に、基台上面の他方で前記ポール取付け位置より離れた位置に設けた支持部材によって基台上面の全方向に旋回可能な支え棒を取付け、起立状態のポールに巻取りロール体の巻芯部を挿入して支持すると共に、前記支え棒の先端をロール体の表面に当接させて巻取りロール体の切取り端部分の剥離やロール体全体の緩みを防止するようにしたことを特徴とする巻取りロール体のホルダーである。
【０００６】
請求項２は、巻取りロール体が、ロール状衛生用紙、ロール状フィルム又はロール状アルミシートであることを特徴とし、請求項３は、前記基台の裏面に板状の磁石や磁性を有した薄いゴムシートなどの磁石を固着させていることを特徴とする。
【０００７】
請求項４は、ポールが、下部ポールの上端に固定用の締めつけ部材を設けて、下部ポールに対し上部ポ−ルを同軸上ではまり合うように伸縮自在に挿合していることを特徴とし、請求項５は、上部ポールの上端近くに吊り下げ用のSカンまたはフックの挿通孔を設けていることを特徴とする。
【発明の効果】
【０００８】
上記のように、本発明のホルダーは、基台の上面に一方向に起伏自在のポールを取付ける一方、ポール取付け位置の近くに設けた支持部材によって基台上面の全方向に旋回可能な支え棒を配置し、ポールの起立状態で巻取りロール体を支持すると共に、支え棒を傾けその先端を巻取りロール体の表面に接触させるようにしたので、ロール状衛生用紙のごとき巻取りロール体を立てた状態に保持してミシン目から切り取りを阻害せず、切り取りの前後に亘って巻取りロール体の姿勢を保持することができる。また、巻取りロール体の取替えが容易である。
また、基台の裏面に、板状の磁石や磁性を有した薄いゴムシート（マグネットシート）などの磁石を固着させることで金属製厨房台や家具類への設置を容易にする。さらに、不使用時にはポールと支え棒とを同方向に倒すことによりホルダー全体を薄形に折り畳んで収納しやすくすることができる。
【発明を実施するための最良の形態】
【０００９】
図１は本発明の巻取りロール体のホルダーの斜視図である。
ほぼ矩形状のプラスチック製基台１の上面の一方に起伏自在のポール４を取付けると共に、基台上面の他方で前記ポール取付け位置より離れた位置に支持部材として球面軸受け又はソケット１１を設けて基台上面の全方向に旋回可能な支え棒１０を取付ける。起立状態のポール４に巻取りロール体１５の巻芯部１６を挿入して縦置き状態に支持すると共に、支え棒１０の先端をロール体１５の表面に当接させて巻取りロール体の切取り端近くの剥離やロール体の緩みを防止するようにして巻取りロール体のホルダーを構成する。
図示例のポール４は、下部ポール５に上部ポ−ル６を同軸上で嵌り合うように伸縮自在に挿合し、かつ下部ポール５の上端に固定用締めつけ部材（ねじ環）８を設けて上部ポール６を所望の高さに固定できるようにしているが、ロール体の高さ（巻き幅）付近の長さを有して伸縮することのない１本のポールで構成してもよい。また、巻取りロール体１５は、キッチンペーパーロール、タオルペーパーロール、クッキングシートなどのロール状衛生用紙や、ラップフィルムなどのロール状フィルム、アルミホイルなどのロールシート類を対象とするものであるが、図示のものはキッチンペーパーロール、タオルペーパーロールなどのロール状衛生用紙を例示している。
【００１０】
ポール４は、矩形状基台１の一方の短辺寄りに固着され、若しくは基台１と一体成形された二股状支持部（ヨーク）２に支持されて、基台１の上面の長手方向に沿って、上面に垂直な面内をほぼ１８０度回動可能に取付けられている。すなわち、ポール４の根元部７を二股状支持部２に挿合し、二股状支持部２の一端から基台１の短辺側と平行なビス３を下部ポールの根元部７に通して基台上面の長手方向に起伏自在に組付けられている。支え棒１０は上部に球状先端１３、下部にピボット１２を有しており、ピボット１２を矩形状基台１の他方の短辺寄りで、ポール４の取付け位置とずれた一方の長辺寄りに設けた球面軸受け又はソケット１１に嵌合することにより、基台上面の全方向に旋回可能に取付けられている。
【００１１】
基台１の上面に一方向に起伏自在で、かつ伸縮自在のポール４を取付ける一方、ポール取付け位置の近くに設けた球面軸受け１１によって基台上面の全方向に旋回可能な支え棒１０を配置する。ロール状衛生用紙（巻き取りロール体）１５は引き出しミシン目２０から所定長さ切り取って使用するが、切り取ったままでは、切取端１７の剥離や垂れ下がり、又はロール体全体の緩みによって、次の切り取りに不都合な姿勢になりやすい。このため、後記図４について説明するように、支え棒１０を傾けて球状先端１３をロール状衛生用紙（巻き取りロール体）１５の切取端近くに当接させることによって、切取端の剥離や垂れ下がり、又はロール体の緩みを押さえて、ミシン目２０からの切り取りを阻害しないように巻取りロール体１５の姿勢を保持するものである。
また、基台１の裏面に、板状の磁石や磁性を有する薄いゴムシート（マグネットシート）１４などの磁石を固着させることで金属製厨房台や家具類への設置を容易にする。なお、図２〜５では、磁石１４の図示を省略している。
【００１２】
図２はポール４と支え棒１０を倒した状態を示す斜視図である。ロール状衛生用紙１５の不使用時には、ポール４からロール状衛生用紙１５を取外してポール４を基台１の上に重なるように倒すと共に、支え棒１０もポール４と同じ方向に倒して、全体を扁平に畳むことによりコンパクトに収納できる。
【００１３】
図３は巻取りロール体１５をホルダーのポール４に差し込む状態を示す斜視図。ポール４と支え棒１０を垂直に立てる。伸縮自在のポールのときには、下部ポール５の締めつけ部材８を矢印のように回動させ緩めてロール体１５の幅に合わせて、上部ポール６を伸縮させたのち、締めつけ部材８を締め付けて長さを調節する。
【００１４】
図４はロール巻取り端部分を支え棒１０で押さえた状態の斜視図である。使用待機時は、前述したように、支え棒１０を傾けて、その球状先端１３をロール１７の周面の適当な位置、例えば、切取端１７の近くに当接させて緩みを押さえ、又は剥離などによる巻き戻しが起こらないようにする。
【００１５】
図５は、上部ポール６の上端近くに明けた挿通孔９にSカンまたはフック１８を通し、これを厨房台上や室内の適当な箇所に架した横棒１９に掛け止めることにより、ホルダーを吊り下げて使用する状態を示す斜視図である。この場合には、厨房台等の上に直接ホルダーを立てかけないので、台上部の空間を広く利用することが可能となる。
【図面の簡単な説明】
【００１６】
【図１】本発明巻取りロール体のホルダーの斜視図。
【図２】図１のポールと支え棒を倒した状態の斜視図。
【図３】巻取りロール体をホルダーに差し込む状態を示す斜視図。
【図４】ロール体の巻取り端部分を支え棒で押さえた状態の斜視図。
【図５】ホルダーを吊り下げて使用する状態の斜視図。
【符号の説明】
【００１７】
１  ホルダー基台                    ２  二股状支持部
３  ビス                            ４  ポール
５  下部ポール                      ６  上部ポール
７  根元部                          ８  締めつけ部材
９  Ｓカンまたはフックの挿通孔      １０  支え棒
１１  球面軸受け                    １２  ピボット
１３  球状先端                      １４  マグネットシート（磁石）
１５  ロール状衛生用紙（巻取りロール体）
１６  巻芯筒                        １７  切取端
１８  Ｓカン                        １９  横棒
２０  ミシン目
【図１】
2005270254.tif 000003
【図２】
2005270254.tif 000004
【図３】
2005270254.tif 000005
【図４】
2005270254.tif 000006
【図５】
2005270254.tif 000007